(57)【要約】【課題】夜間において、リードを使用して犬の散歩中であることを歩行者や自転車の搭乗者に認識させて事故を未然に防止する。【解決手段】  帯状に形成したリード本体１１の一端に動物の首輪に着脱可能に接続する連結金具１２を取付け、他端に該リード本体を握るための把手部１５を形成し、前記リード本体１１の表裏いずれか一面または両面に、少なくとも一色以上の彩色で多様な形状に形成した複数の発光部２３を有した表示層２２を設けた面状発光体２０を取付け、前記リード本体１１の把手部１５付近に該面状発光体を発光させる制御ボックス３１を取付けて形成したことを特徴とする。【選択図】  図１
0003109461.tif 000002
【実用新案登録請求の範囲】
【請求項１】
帯状に形成したリード本体（１１）の一端に動物の首輪に着脱可能に接続する連結金具（１２）を取付け、他端に該リード本体を握るための把手部（１５）を形成し、前記リード本体（１１）の表裏いずれか一面または両面に、少なくとも一色以上の彩色で多様な模様を形成した複数の発光部（２３）を設けた表示層（２２）を有した面状発光体（２０）を取付け、前記リード本体（１１）の把手部（１５）付近に該面状発光体を発光させる制御ボックス（３１）を取付けて形成したことを特徴とする愛玩動物用リード。
【請求項２】
前記面状発光体（２０）が、帯状に形成したエレクトロルミネッセンス（２１）で、該エレクトロルミネッセンスは、少なくとも一色以上の彩色で多様な模様に形成した複数の発光部（２３）を長手方向に一定間隔で連続して表示層（２２）に設け、該表示層の下側に透明電極（２５）と、背面電極（２６）と、両電極の間に前記表示層（２２）の発光部（２３）を照光する蛍光体を分散した発光層（２７）と、反射絶縁層（２８）とを積層して全体を透明で防水性を有するラミネート層（２９）でシールして形成したことを特徴とする前記請求項１記載の愛玩動物用リード。
【考案の詳細な説明】
【技術分野】
【０００１】
本考案は、主に愛玩動物を散歩させるときに使用するリードで、特に夜間の散歩に使用する犬用のリード（引き紐）に関する。
【背景技術】
【０００２】
従来、犬猫などの愛玩動物のうち、犬を散歩させるときは犬が他人に飛びかかって迷惑をかけたり、散歩中に出会った他の犬と喧嘩したりするのを防止するため、犬の首輪や胴輪などにリードの一端を取付け、該リードの他端に設けた把手部を飼い主が握って散歩させている。
【０００３】
日中においてリードを犬に取付けて散歩させる場合は周囲が明るく視界が利くため歩行者や自転車の搭乗者がリードに引っかかったり犬にぶつかったりする虞は少ないが、夜間や雨降りなど視界がわるいときに歩行者や自転車に乗った人（特に無灯火の自転車）からは、散歩中の犬を引いているリードが見えにくく、飼い主と犬との間を連結しているリードに歩行者や自転車が引っかかって転倒したり、犬をはねたり、または犬や飼い主と衝突する事故が起きる場合が多く非常に危険である。
【０００４】
そのため、夜間や雨降りなど視界がわるいときの前記事故を防止するため、光を反射する反射板や蛍光塗料などを犬の首輪やリードに取付けたものが市販されている。しかし、首輪に取付けた反射板は反射面積が小さいため使用中に犬の毛で隠れたり、限られた方向からしか認識できないことがある。
【０００５】
さらには、反射板は街灯や自動車または自転車などの光を受けて反射するもので、無灯火の自転車や街灯のない暗い場所では役に立たないだけでなく、前記した事故に遭う確立が高く非常に危険であった。
【０００６】
そのため、無灯火の自転車や街灯のない暗い場所でも、リードを使用して犬の散歩中であることを相手に認識させるため、犬の首輪やリードに発光ダイオードやエレクトロルミネッセンスなどの発光装置を取付けて点燈または点滅させることにより、夜間の散歩中に前記発光装置を点燈してリードを使用して散歩中であることを歩行者に認識させて事故を未然に防止するものが知られている（例えば、特許文献１、２参照）。
【特許文献１】特開２００１−７８６１２
【特許文献２】実開平０２−５７３７３
【考案の開示】
【考案が解決しようとする課題】
【０００７】
前記したごとく、犬の首輪やリードに発光装置を取付けて照光することにより、犬の散歩中であることを歩行者に認識させて事故を未然に防止することができるが、ただ単に赤色や蛍光色を点燈させるだけでは、夜間における自転車（特に無灯火自転車）はスピードが早いことから、運転者に犬の散歩中であることを十分に喚起することが困難であると共に、散歩する飼い主も夜間の散歩をより楽しく歩きたいという願望を達成することを課題とするものである。
【課題を解決するための手段】
【０００８】
そこで本考案は、帯状に形成したリード本体１１の一端に動物の首輪に着脱可能に接続する連結金具１２を取付け、他端に該リード本体を握るための把手部１５を形成し、前記リード本体１１の表裏いずれか一面または両面に、少なくとも一色以上の彩色で多様な模様を形成した複数の発光部２３を設けた表示層２２を有した面状発光体２０を取付け、前記リード本体１１の把手部１５付近に該面状発光体を発光させる制御ボックス３１を取付けて形成したことを特徴とする。また、前記面状発光体２０が、帯状に形成したエレクトロルミネッセンス２１で、該エレクトロルミネッセンスは、少なくとも一色以上の彩色で多様な模様に形成した複数の発光部２３を長手方向に一定間隔で連続して表示層２２に設け、該表示層の下側に透明電極２５と、背面電極２６と、両電極の間に前記表示層２２の発光部２３を照光する蛍光体を分散した発光層２７と、反射絶縁層２８とを積層して全体を透明で防水性を有するラミネート層２９でシールして形成したことを特徴とする。
【０００９】
したがって、リードの表面または裏面若しくは両面に多色模様に形成した発光部を有した面状発光体を照光させることにより、略全体が発光したリードを使用して犬の散歩中であることを、夜間における歩行者や無灯火自転車の運転者に遠くからいち早く明かりを認識させることができ、飼い主の位置と犬の位置を事前に把握することができるので事故を未然に防ぐことができると共に、飼い主も多様な模様に光る発光部を有するリードを使用することにより楽しく散歩をすることができる。
【考案を実施するための最良の形態】
【００１０】
本考案の実施の形態を図面により説明すると、図１は一部省略したリードの平面図、図２は同側面図、図３は面状発光体の要部拡大断面図、図４は面状発光体の制御回路図である。本考案に係るリード１０は、合成繊維糸で全体を偏平で帯状に形成したリード本体１１の一端に犬の首輪に取付けた輪環（図示せず）と着脱可能に連結する茄子環１２を取付け、前記リード本体１１の他端には端部を折り返して輪状に形成した把手部１５を設けてある。
【００１１】
２０は可撓性を有する薄厚の面状発光体で、前記リード本体１１の表面または裏面若しくは両面略全体に接着または縫着させて取付けてある。この面状発光体２０は全体を帯状に形成したエレクトロルミネッセンス２１（以下、ＥＬという）と、該エレクトロルミネッセンスを発光させる制御ボックス３１とを電気的に接続して形成してある。
【００１２】
前記ＥＬ２１は、図３に示すごとく、表示層２２と、該表示層の下側にＡｕまたはＡｇを蒸着させた透明電極２５と、Ａｈからなる背面電極２６と、前記両電極の間で前記表示層２２の発光部２３を照光する蛍光部を分散して形成した発光層２７と、反射絶縁層２８とをそれぞれスクリーン印刷により積層し、全体を透明な防水性を有するラミネート層２９で厚さ０、６ｍｍ以下にシールして形成してある。
【００１３】
前記表示層２２の表面には、少なくとも一色以上の彩色で着色した地色の表面に多様な模様を形成した複数の発光部２３を長手方向に一定間隔で連続して形成してある。
【００１４】
この表示層２２の発光部２３を形成する各種模様は、リード１０を購入する人のニーズに合うように多様な模様に形成することが可能で、その一例を挙げると、例えば、図５Ａに示すごとく、ＥＬ２１ａの表示層２２ａに任意の単一色からなる地色の表面に形成した発光部２３ａの形状を骨の形状と足跡の形状をそれぞれ色を変えて交互で一定間隔に配列したものや、図５Ｂに示すごとく、ＥＬ２１ｂの表示層２２ｂに任意の単一色からなる地色の表面に形成した発光部２３ｂを、それぞれ虹色のアーチ状に形成し、該発光部の端部をそれぞれ交互に反転させて一定間隔に配列したものや、さらには、図５Ｃに示すごとく、ＥＬ２１ｃの表示層２２ｃに任意の単一色からなる地色の表面に形成した発光部２３ｃを、それぞれ色の異なる流れ星の形に形成し、該流れ星の形をした発光部を一定間隔に配列して形成するなどにすることができる。
【００１５】
前記表示層２２ａ、２２ｂ、２２ｃに設けた発光部２３ａ、２３ｂ、２３ｃを、該表示層の下層に設けた発光層２７により光を連続的または流れるように連続して点滅させて発光させると、発光部２３ａ、２３ｂ、２３ｃの模様がイルミネーションのごとく鮮やかな輝きとして表現することができるので、遠くから歩行者や自転車の搭乗者に注意を喚起することができるので、夜間における犬の散歩中にリード１０に挟まれたり犬をはねたりする事故を未然に防止することができ安全であると共に、飼い主はリード１０がイルミネーションのごとく輝がやくことにより、より楽しく散歩をすることができる。
【００１６】
また、大型犬用のリード（図示せず）のごとく幅広のリードを使用する場合においても前記面状発光体２０と同様に、図５Ｄに示すごとく、リードの幅にあわせて幅広に形成したＥＬ２１ｄの表示層２２ｄを、前記通常のリードに取付けたＥＬと同様に表示層２２ｄに設けた発光部２３ｄの形状を、例えば、犬の足跡形状の連続模様に形成するなど多様な模様の発光部２３ｄを形成して光らせることによりより、遠くから歩行者や自転車の搭乗者に注意を喚起することができるので、夜間における犬の散歩中、リードの間に人が挟まれたり犬がはねられたりする事故を未然に防止することができると共に、飼い主はイルミネーションのごとく輝くリードを持つことによりより楽しく散歩をすることができる。
【００１７】
前記ＥＬ２１と制御ボックス３１とは、図４に示すごとく、各電極２５、２６の一端にそれぞれ設けた端子部３５ａ、３５ｂと前記制御ボックス３１内に収めたスイッチ３２とＤＣ電源３３および光源を変化させるインバータ３４をそれぞれ電気的に接続して形成してある。
【００１８】
以下、本考案の実施形態の作用について説明すると、リード１０を使用して夜間犬の散歩に行く場合、リード１０の先端に設けた連結金具１２を犬の首輪に設けた輪環に連結する。次いで、リード１０の他端把手部１５を手に持つと共に、把手部付近に設けた制御ボックス３１のスイッチ３２をＯＮにする。
【００１９】
スイッチ３２の操作は、ＯＦＦの位置を中心に前後にスライドさせることにより連続点燈と点滅点燈とのいずれかを選択することができる。スイッチ３２をＯＮにすると面状発光体２０を構成するＥＬ２１の表示層２２の発光部２３が発光する。発光は、表示層２２全体が発光するのではなく表示層の長手方向中央に一定間隔に連続して形成した発光部２３が発光する。発光部２３は前記したごとく多様な模様に彩色されていることから、夜間遠くから鮮やかに発光していることを認識させることができ、特に、歩行者や無灯火の自転車搭乗者にも遠くからいち早く確実に注意を喚起することができるので事故の発生を未然に防止することができる。
【００２０】
発光部２３を流れるような連続点滅にすると、リード１０全体が発光部２３の色彩と模様によってイルミネーションのごとく鮮やかに輝いて光るため、歩行者の注意をより喚起して事故を防止することができるのは勿論であると共に、散歩中の飼い主も多様な色彩のイルミネーションを楽しみながら散歩をすることができる。散歩を終了して帰宅したときには、スイッチをＯＦＦにすることにより消燈することができる。
【００２１】
さらに前記スイッチには、点燈、消燈だけでなくスイッチをＯＮすると一定時間だけ点燈または点滅するリレースイッチ機能を設けることができるのは勿論である。
【図面の簡単な説明】
【００２２】
【図１】本考案に係るリードの一部を省略した平面図である。
【図２】本考案に係るリードの一部を省略した側面図である。
【図３】エレクトロルミネッセンスの要部拡大断面図である。
【図４】エレクトロルミネッセンスの回路図である。
【図５Ａ】表示層の発光部を犬の骨形状と足跡形状を交互に一定間隔で長手方向に連続した形状を示す一部破断した面状発光体の平面図である。
【図５Ｂ】表示層の発光部をアーチ状の虹模様を互い違いに一定間隔で長手方向に連続した形状を示す一部破断した面状発光体の平面図である。
【図５Ｃ】表示層の中央長手方向に流れ星形の発光部を一定間隔で連続して形成した形状を示す一部破断した面状発光体の平面図である。
【図５Ｄ】大型犬用の幅広のリードに使用する一部破断した面状発光体で、表示層の発光部を犬の足跡形状を交互に一定間隔で長手方向に連続した形状を示す平面図である。
【符号の説明】
【００２３】
１０    リード
１１    リード本体
１２    連結金具
１５    把手部
２０    面状発光体
２１    エレクトロルミネッセンス
２２    表示層
２３    発光部
２５    透明電極  
２６    背面電極
２７    発光層
２８    反射絶縁層
２９    ラミネート層
３１    制御ボックス
３２    スイッチ
３３    電源
３４    インバータ
３５    端子部
【図１】
0003109461.tif 000003
【図２】
0003109461.tif 000004
【図３】
0003109461.tif 000005
【図４】
0003109461.tif 000006
【図５Ａ】
0003109461.tif 000007
【図５Ｂ】
0003109461.tif 000008
【図５Ｃ】
0003109461.tif 000009
【図５Ｄ】
0003109461.tif 000010